(57)【要約】【課題】介助者に頼ることなく一人で容易に、しかもストッキングや、補助具の破損を発生させることなくストッキングを履くことができる医療用弾性ストッキング装着補助具を提供する。【解決手段】平面視して略ペンチ型形状の曲げ反発力を有する１枚からなる樹脂シートの逆Ｕ字型形状の左右一対の帯状部分をそれぞれ把持部１１とし、把持部１１のそれぞれを繋ぐ連結部分をストッキング装着部１２とする医療用弾性ストッキング装着補助具１０であって、ストッキング装着部１２が先端中心部に谷状のくびれ１３を有し、くびれ１３の左右のそれぞれの頂点に丸みのある山状の突起１４を有すると共に、ストッキング装着部１２の両側のそれぞれに丸みのある角度を持った出っ張り部１５を有し、しかも把持部１１が逆Ｕ字型形状の２つの帯状部分の相対向する間の距離を外側に行くほど大きくして設けられている。【選択図】図１
0003105881.tif 000002
【実用新案登録請求の範囲】
【請求項１】
平面視して略ペンチ型形状の曲げ反発力を有する１枚からなる樹脂シートの逆Ｕ字型形状の左右一対の帯状部分をそれぞれ把持部とし、該把持部のそれぞれを繋ぐ連結部分をストッキング装着部とする医療用弾性ストッキング装着補助具であって、
前記ストッキング装着部が先端中心部に谷状のくびれを有し、該くびれの左右のそれぞれの頂点に丸みのある山状の突起を有すると共に、前記ストッキング装着部の両側のそれぞれに丸みのある角度を持った出っ張り部を有し、しかも前記把持部が前記逆Ｕ字型形状の２つの前記帯状部分の相対向する間の距離を外側に行くほど大きくして設けられ、前記ストッキング装着部を前記くびれを介して筒状に折り曲げて前記突起を介してストッキングを装着させ、該ストッキングを前記出っ張り部で抜け落ち防止をすると共に、前記樹脂シートの前記曲げ反発力で前記ストッキングを押し広げて円筒状開口を形成し、該開口に足を挿入させた後、前記把持部を引っ張って前記出っ張り部で前記ストッキングを引っ張り上げながら除去させることを特徴とする医療用弾性ストッキング装着補助具。
【請求項２】
請求項１記載の医療用弾性ストッキング装着補助具において、前記把持部に引っ張る時に滑らない滑り止めが設けられていることを特徴とする医療用弾性ストッキング装着補助具。
【考案の詳細な説明】
【技術分野】
【０００１】
本考案は、人工股関節全置換手術を行った人が医療用弾性ストッキングを履く場合に使用するための医療用弾性ストッキング装着補助具に関する。
【背景技術】
【０００２】
従来から、医療用弾性ストッキングを履く場合に一人ではなかなか上手く履くことができないために、介助者の介添えが必要であった。人工股関節全置換手術を行った人の場合、手術後３ヶ月間は、深部静脈血栓症予防のために医療用弾性ストッキングを装着しなければならないが、手術後は、股関節の９０°以上の屈曲禁止、及び内旋回、内転回禁止となるために一人ではストッキングを上手く履けない状態である。また、この医療用弾性ストッキングは、足首部分で約１９ｍｍＨｇとなる強い圧迫力のある伸縮強度の強い弾性体でできているので、ストッキングを装着する時にストッキングを開口するのに力を要し益々一人での装着が難しくなっている。
【０００３】
一人でストッキングを履くための補助具には、凹形状の外形が略長方形のストッキング履き補助板を丸めてストッキング内に挿入して補助具に沿わせて足を装着させ、補助具を引き抜くことでストッキングを履くことができるストッキング履き補助板が提案されている（例えば、特許文献１参照）。また、ストッキング履き用補助具には、ストッキング装着部と把持部を接合して連結させ、ストッキング装着部にストッキングを所定位置に装着した時にストッキング装着部とストッキングとの間に足を挿入し得る空間を形成してストッキングを履くことができるストッキング履き用補助具が提案されている（例えば、特許文献２参照）。
【特許文献１】特開２０００−３４２４３０号公報
【特許文献２】実開平２−１３１５０８号公報
【考案の開示】
【考案が解決しようとする課題】
【０００４】
しかしながら、前述したような従来のストッキング履き用補助具は、未だ解決すべき次のような問題がある。
（１）凹形状の外形が略長方形のストッキング履き補助板の場合には、補助板の角部でストッキングが破損する場合が発生している。
（２）ストッキング装着部と把持部を接合して連結させたストッキング履き用補助具の場合には、把持部を引っ張った時に、ストッキングの締め付け力がきついので、連結部で破損する場合が発生している。
本考案は、かかる事情に鑑みてなされたものであって、介助者に頼ることなく一人で容易に、しかもストッキングや、補助具の破損を発生させることなくストッキングを履くことができる医療用弾性ストッキング装着補助具を提供することを目的とする。
【課題を解決するための手段】
【０００５】
前記目的に沿う本考案に係る医療用弾性ストッキング装着補助具は、平面視して略ペンチ型形状の曲げ反発力を有する１枚からなる樹脂シートの逆Ｕ字型形状の左右一対の帯状部分をそれぞれ把持部とし、把持部のそれぞれを繋ぐ連結部分をストッキング装着部とする医療用弾性ストッキング装着補助具であって、ストッキング装着部が先端中心部に谷状のくびれを有し、くびれの左右のそれぞれの頂点に丸みのある山状の突起を有すると共に、ストッキング装着部の両側のそれぞれに丸みのある角度を持った出っ張り部を有し、しかも把持部が逆Ｕ字型形状の２つの帯状部分の相対向する間の距離を外側に行くほど大きくして設けられ、ストッキング装着部をくびれを介して筒状に折り曲げて突起を介してストッキングを装着させ、ストッキングを出っ張り部で抜け落ち防止をすると共に、樹脂シートの曲げ反発力でストッキングを押し広げて円筒状開口を形成し、開口に足を挿入させた後、把持部を引っ張って出っ張り部でストッキングを引っ張り上げながら除去させる。
【０００６】
ここで、医療用弾性ストッキング装着補助具は、把持部に引っ張る時に滑らない滑り止めが設けられているのがよい。
【考案の効果】
【０００７】
請求項１又は２記載の医療用弾性ストッキング装着補助具は、平面視して略ペンチ型形状の曲げ反発力を有する１枚からなる樹脂シートの逆Ｕ字型形状の左右一対の帯状部分をそれぞれ把持部とし、把持部のそれぞれを繋ぐ連結部分をストッキング装着部とする医療用弾性ストッキング装着補助具であって、ストッキング装着部が先端中心部に谷状のくびれを有し、くびれの左右のそれぞれの頂点に丸みのある山状の突起を有すると共に、ストッキング装着部の両側のそれぞれに丸みのある角度を持った出っ張り部を有し、しかも把持部が逆Ｕ字型形状の２つの帯状部分の相対向する間の距離を外側に行くほど大きくして設けられるので、ストッキング装着部のくびれによって容易に筒状に折り曲げることができ、突起によってストッキングを容易に装着でき、出っ張り部によってストッキングの抜け落ちの防止をすると共に、樹脂シートの曲げ反発力でストッキングを容易に押し広げて円筒状開口部を形成して足を挿入させることができ、把持部の引っ張りに合わせて出っ張り部によってストッキングを引っ張り上げることができ、把持部とストッキング装着部の一体によって把持部を引っ張ってもストッキングを破損させることなく除去させることができ、介助者に頼ることなく一人で容易にストッキングを履くことができる。
【０００８】
特に、請求項２記載の医療用弾性ストッキング装着補助具は、把持部に引っ張る時に滑らない滑り止めが設けられているので、指先に力を集中させることなく、把持部を引っ張ってストッキングを容易に履くことができる。
【考案を実施するための最良の形態】
【０００９】
続いて、添付した図面を参照しつつ、本考案を具体化した実施するための最良の形態について説明し、本考案の理解に供する。
ここに、図１は本考案の一実施の形態に係る医療用弾性ストッキング装着補助具の正面図、図２（Ａ）、（Ｂ）はそれぞれ同医療用弾性ストッキング装着補助具のストッキング装着部を筒状にした状態の側面図、医療用弾性ストッキング装着補助具のストッキング装着部にストッキングを装着した状態の説明図、図３（Ａ）、（Ｂ）はそれぞれ同医療用弾性ストッキング装着補助具のストッキング装着部に足を挿入した説明図、医療用弾性ストッキング装着補助具を引き抜く状態の説明図、図４は同医療用弾性ストッキング装着補助具の除去後のストッキング履き状態の説明図である。
【００１０】
図１に示すように、本考案の一実施の形態に係る医療用弾性ストッキング装着補助具１０は、平面視した時の形状が略ペンチ型形状をしており、丸めたりした時に復元しようとする曲げ反発力のある継ぎ目のない１枚の樹脂シートで形成されている。例えば、厚さ０．５ｍｍ程度の、樹脂の一例であるポリプロプレン等が用いられている略ペンチ型形状の樹脂シートは、逆Ｕ字型形状の左右一対の帯状部分をそれぞれ把持部１１とし、この把持部１１のそれぞれを繋ぐ連結部分をストッキング装着部１２として構成されている。
【００１１】
ストッキング装着部１２は、先端中心部に先端からの深さが４０〜６０ｍｍ、角度が４０〜５０°程度の谷状の切り欠きからなるくびれ１３を有し、このくびれ１３の左右には、谷部を挟んでそれぞれの先端間を８０〜１００ｍｍ程度とする２つの頂点のそれぞれになだらかな丸みがあり、裾野の直線部分の延長角度が５５〜７５°程度からなる山状の突起１４を有している。また、ストッキング装着部１２は、先端からの距離が８０〜９０ｍｍ程度の位置のストッキング装着部１２の両横側のそれぞれに、頂点を突出して対向するこの頂点の先端どうしの間隔が２３０〜２５０ｍｍ程度からなる出っ張り部１５を有している。この出っ張り部１５は、頂点に丸みを有し、裾野の直線部分の延長角度が９０〜１００°程度からなる両横に突き出た山状となっている。
【００１２】
一方、把持部１１は、ストッキング装着部１２の先端からの距離が３３０〜３６０ｍｍ程度の位置を開口部の始まりとして、開口部を挟んで相対抗する両側にそれぞれ帯状部分が設けられている。医療用弾性ストッキング装着補助具１０のストッキング装着部１２の先端から帯状部分の先端までの長さは、６２０〜７００ｍｍ程度であり、帯状部分の幅は、５５〜７５ｍｍ程度である。この把持部１１の２つの帯状部分の相対向する間の距離は、帯状部分の先端である外側に行くほど大きくなり、最先端の相対向する帯状部分の横外側どうしの幅間隔が４００〜４３０ｍｍ程度となっている。
【００１３】
把持部１１には、把持部１１を手で持って引っ張る時に、手が滑らないように、例えば、ビニールテープ等を巻くような処置をして滑りにくく、且つ握りやすくする滑り止めを設けるのがよい。これにより、握力の低い人や、高齢者でも医療用弾性ストッキング装着補助具１０を容易に扱うことができるようになる。
【００１４】
なお、ストッキング装着部１２、及び把持部１１のそれぞれの部分の大きさ、配置位置は、上記の大きさ、配置位置に限定されるものではなく、例えば、使用する人の大きさ等によって相似的に、あるいは部分的な変形等適宜変更させることができる。
【００１５】
次いで、図２〜図４を参照しながら、本考案の一実施の形態に係る医療用弾性ストッキング装着補助具１０を使用してのストッキングの装着状態を説明する。
図２（Ａ）、（Ｂ）に示すように、先ず、医療用弾性ストッキング装着補助具１０は、ストッキング装着部１２にストッキング１６を装着させるのに際し、ストッキング装着部１２に設けられたくびれ１３がストッキング装着部１２を左右対称にするようにして筒状に折り曲げる時の折り曲げ位置の起点となっている。ストッキング被装着者は、筒状にされたストッキング装着部１２の先端部の突起１４に、ストッキング１６を嵌入し、筒状部に片手を差し込み、もう一方の手でストッキング１６を手繰り寄せながらストッキング１６の先端をストッキング装着部１２の先端部に当接させる。そして、ストッキング被装着者は、筒状部から片手を引き抜く。突起１４は、ストッキング装着部１２を筒状に折り曲げた時にストッキング装着部１２の先端を鋭角とすることができ、この突起１４を介してストッキング装着部１２にストッキング１６を容易に装着することができる。また、出っ張り部１５は、ストッキング１６がストッキング装着部１２から抜け落ちないための抵抗部となっている。
【００１６】
次に、図３（Ａ）、（Ｂ）に示すように、医療用弾性ストッキング装着補助具１０は、ストッキング１６の締め付け力に対して樹脂シートの曲げ反発力によって押し広げて円筒状開口を形成している。この円筒状開口にストッキング被装着者は、自らの手で把持部１１を持って、足１７を挿入する。そしてこの後、把持部１１の引っ張りに合わせて出っ張り部１５でストッキング１６を引っ張り上げながらストッキング１６の中から医療用弾性ストッキング装着補助具１０を引き抜く。ストッキング装着部１２に設けられた出っ張り部１５は、出っ張りと同時に角部に丸みを有しているので、ストッキング１６を引っ張り上げながら破損させることなくストッキング１６の中から引き抜くことができる。
【００１７】
そして、図４に示すように、ストッキング被装着者は、足１７の途中まで装着することができたストッキング１６を自らの手で引っ張り上げることでストッキング１６を装着できる。
【実施例】
【００１８】
本考案者は、本考案の医療用弾性ストッキング装着補助具の耐久性試験として、人工股関節全置換手術後に患者が装着する伸縮強度の強い弾性体でできている医療用弾性ストッキングを用いて１８０回の繰り返し装着を行い破壊の有無の確認を行った。結果は、医療用弾性ストッキング装着補助具に僅かな損傷も発生しなかった。
また、本考案者は、人工股関節全置換手術を行う人１０名を対象に本考案の医療用弾性ストッキング装着補助具を使用して手術前後における医療用弾性ストッキングからなるストッキングを用いた装着状態を調査した。調査項目は、使用者の握力、手術後の股関節屈曲度、手術前に行った医療用弾性ストッキング装着補助具によるストッキング装着時間、手術後に行った医療用弾性ストッキング装着補助具によるストッキング装着時間を測定した。その結果を表１に示す。
【００１９】
【表１】
0003105881.tif 000003
【００２０】
表１に示すように、医療用弾性ストッキング装着補助具の装着時間に個人差はあっても、手術前後における装着時間に有意差はみられなかった。また、握力の個人差は、医療用弾性ストッキング装着補助具の装着時間に関係なく、握力の弱い人でも本医療用弾性ストッキング装着補助具を容易に取り扱えることが確認できた。更に、手術後の股関節屈曲可動域制限が７０度〜１２０度あっても安全に装着可能であることが確認できた。
【産業上の利用可能性】
【００２１】
本考案の医療用弾性ストッキング装着補助具は、取扱いが簡単で、安価であるので、人工股関節全置換手術を行った人が医療用弾性ストッキングを履く場合のみならず、高齢者や、他の身体の不自由な人がストッキングを履く場合にも使用することができる。
【図面の簡単な説明】
【００２２】
【図１】本考案の一実施の形態に係る医療用弾性ストッキング装着補助具の正面図である。
【図２】（Ａ）、（Ｂ）はそれぞれ同医療用弾性ストッキング装着補助具のストッキング装着部を筒状にした状態の側面図、医療用弾性ストッキング装着補助具のストッキング装着部にストッキングを装着した状態の説明図である。
【図３】（Ａ）、（Ｂ）はそれぞれ同医療用弾性ストッキング装着補助具のストッキング装着部に足を挿入した説明図、医療用弾性ストッキング装着補助具を引き抜く状態の説明図である。
【図４】同医療用弾性ストッキング装着補助具の除去後のストッキング履き状態の説明図である。
【符号の説明】
【００２３】
１０：医療用弾性ストッキング装着補助具、１１：把持部、１２：ストッキング装着部、１３：くびれ、１４：突起、１５：出っ張り部、１６：ストッキング、１７：足
【図１】
0003105881.tif 000004
【図２】
0003105881.tif 000005
【図３】
0003105881.tif 000006
【図４】
0003105881.tif 000007